(57)【要約】【課題】マンホール外側に着脱自在に取り付けた手摺り枠によりマンホール内外の出入りに優れ、かつ、マンホール内へ垂下して立て掛けた梯子の上部を保持して作業安全性を向上させたマンホール用の梯子取付具及びこれを用いたマンホール用梯子装置を提供する。【解決手段】マンホールの開口縁枠Ｃに着脱自在に取り付ける支持基台１と、支持基台のマンホール外側に着脱自在に又は固定的に取り付けた手摺り枠２と、支持基台のマンホール内側に設けた梯子支持部３とからなるマンホール用の梯子取付具とする。また、梯子取付具に梯子支持部に着脱自在にして取り付けた梯子４とからなるマンホール用梯子装置とし、梯子は伸縮可能に構成してもよい。【選択図】      図１
2005002696.tif 000002
【特許請求の範囲】
【請求項１】
マンホールの開口縁枠（Ｃ）に着脱自在に取り付ける支持基台（１）と、
前記支持基台（１）のマンホール外側に着脱自在に又は固定的に取り付けた手摺り枠（２）と、
前記支持基台（１）のマンホール内側に設けた梯子支持部（３）と、
からなることを特徴とするマンホール用の梯子取付具。
【請求項２】
マンホールの開口縁枠（Ｃ）に着脱自在に取り付ける支持基台（１）と、
前記支持基台（１）のマンホール外側に着脱自在に又は固定的に取り付けた手摺り枠（２）と、
前記支持基台（１）のマンホール内側に設けた梯子支持部（３）と、
前記梯子支持部（３）に着脱自在にして取り付けた梯子（４）と、
からなることを特徴としたマンホール用梯子装置。
【請求項３】
梯子（４）を伸縮可能に構成したことを特徴とする請求項２記載のマンホール用梯子装置。
【発明の詳細な説明】
【０００１】
【産業上の利用分野】
本願発明は、マンホール内作業時に設置して、マンホール内への出入りを容易にするマンホール用の梯子取付具及びこれを用いたマンホール用梯子装置に関する。
【０００２】
【従来の技術とその課題】
比較的大空間のタンク内や管路内（以下「タンク等」）の清掃や保守管理の作業は、必要時にその都度、作業者が入って行うため、一般的に、前記タンク等には、人間が通過できる程度の開口径をもったマンホールと称される縦穴が設置されている。従来このマンホールからの出入り方法は、作業者がマンホールの蓋を開け、持参した梯子をマンホールの開口縁枠とタンク底部に架け渡して、又は縄梯子を開口縁枠に引掛けて懸垂保持してからこの梯子を伝ってタンク等の内部に入っていた。
【０００３】
特許文献１には、マンホール用補助梯子に関する技術が開示されている。
【０００４】
【特許文献１】実公告平５−２２６３７、実施例および図１等。
【０００５】
しかしながら、上記従来の方法では、マンホール内に立て掛けた梯子を固定し難く不安定であることに加え、作業員がマンホールに入る際に地上側には何ら掴まる箇所がないので、作業員は地面に手を突き不安定な体勢でマンホールに足から入っていたため危険であった。また、このような既存の梯子を立て掛けて使用するにしてもマンホールから真下の底面までの距離がタンク等の仕様により区々であるため、事前に長さの異なる数種の梯子を用意しておき、その都度、現場で選択して使用するという煩雑さがあった。
また、特許文献１記載の技術では、マンホール内の固定ステップが必要であり、固定ステップのないタンクではマンホール用補助梯子の固定が不十分となるため適用できなかった。
【０００６】
さらに、縄梯子の使用では、その使用感が不安定であるため扱いに慣れが必要であることに加えて、複数人の同時使用ができないことにより、万一の危険においては迅速な避難行動を採ることができないという、最悪生命にも関わる問題点があった。
【０００７】
【目的】
本願発明は、上記問題に鑑み、マンホール外側に着脱自在に取り付けた手摺り枠によりマンホール内外の出入りに優れ、かつ、マンホール内へ垂下して立て掛けた梯子の上部を保持して作業安全性を向上させたマンホール用の梯子取付具及びこれを用いたマンホール用梯子装置を提供するものである。
【０００８】
【課題を解決するための手段】
上記課題を解決するため、本願発明に係るマンホール用の梯子取付具及びこれを用いたマンホール用梯子装置は以下のように構成している。
すなわち、請求項１ではマンホールの開口縁枠（Ｃ）に着脱自在に取り付ける支持基台（１）と、前記支持基台（１）のマンホール外側に着脱自在に又は固定的に取り付けた手摺り枠（２）と、前記支持基台（１）のマンホール内側に設けた梯子支持部（３）と、からなることを特徴とする。
【０００９】
請求項２では、マンホールの開口縁枠（Ｃ）に着脱自在に取り付ける支持基台（１）と、前記支持基台（１）のマンホール外側に着脱自在に又は固定的に取り付けた手摺り枠（２）と、前記支持基台（１）のマンホール内側に設けた梯子支持部（３）と、前記梯子支持部（３）に着脱自在にして取り付けた梯子（４）と、からなることを特徴とする。請求項３では、請求項２における梯子（４）を伸縮可能に構成したことを特徴とする。なお、本明細書において用いた符号により、本件発明の技術的思想を限定的に解釈してはならない。
【００１０】
【発明の実施の形態】
以下に本願発明に係るマンホール用の梯子取付具及びこれを用いたマンホール用梯子装置について、図面に基づき詳細に説明する。図１は本実施形態におけるマンホール用の梯子取付具の外観斜視図であり、図２は図１のＡ矢視図であり、図３は図２のＢＢ線矢視図である。
【００１１】
本実施形態におけるマンホール用の梯子取付具Ｓ（以下、「梯子取付具」と省略。）は、支持基台１と、前記基台１の上部に位置する手摺り枠２と、前記基台１の下部に位置する梯子支持部３とから構成している。
【００１２】
先ず、実施形態に用いる開口縁枠Ｃは、マンホールやタンク等（図示省略）の上面に配置されるものであり、円管状の枠体Ｃａと、この枠体Ｃａの下端に配置されてタンク等の表面に固定一体化するための下部フランジＣｃと、この枠体Ｃａの上端に配置されて開口を被う蓋体（図示省略。）を取り付けるための上部フランジＣｂと、を構成部分として有するものであり、本願実施例は係る構成の開口縁枠Ｃに取り付けるものとして、以下に説明する。
【００１３】
支持基台１は、開口縁枠Ｃの上部フランジＣｂの上面に当接する湾曲状の金属帯板からなる上帯板１０と、前記上帯板１０と対向して開口縁枠Ｃの下部フランジＣｃの下面に近接する湾曲状の下帯板１１と、前記上帯板１０と下帯板１１の小径側縁部どうしを連結一体化する１又は２以上の当接板１２とから成る。なお、上部フランジＣｂ、下部フランジＣｃの形状は湾曲状に限定するものではなく、開口縁枠Ｃの形状が四角状であれば、例えばコの字状にすればよい。
前記上帯板１０と下帯板１１には、開口縁枠Ｃに固定する固定手段をそれぞれ配設している。すなわち、上帯板１０の固定手段は、開口縁枠Ｃの上部フランジＣｂに開設した貫通孔Ｃｄと、これに適合させて上帯板１０に開設した締結孔１０ａとを設け、これらを貫通するボルトナット手段Ｆ１により固定している。また、下帯板１１の固定手段は、下帯板１１に開設したボルト孔１１ａに締め付けボルトＦ２を下方から螺合させて、開口縁枠Ｃの下部フランジＣｃに締め付けボルトＦ２の先端側を押し付けて固定している。なお、固定手段については開口縁枠Ｃの形状により適宜の仕様変更が行われる。
【００１４】
手摺り枠２は、逆Ｕ字状に折り曲げた金属パイプ材からなる枠部材２０と、枠部材２０の中程を連結する横バー２１を有し、支持基台１の上帯板１０に所定間隔で設けた一対の差込筒２２内に枠部材２０の先端側を差し込んで立設させ、差込筒２２に螺合する固定ねじ２２ａにより着脱自在に固定している。
【００１５】
梯子支持部３は、支持基台１の下帯板１１の両端側から垂下した状態でそれぞれ垂下板３０を設け、この対向した垂下板３０の下端部に金属製の支持バー３１を架設している。この支持バー３１に、マンホール用の梯子４の上部に設けた逆Ｊ字状に開口する引掛け部４０を引掛けて、梯子４を着脱自在に保持することにより、マンホール用梯子装置を構成している。
【００１６】
なお、引掛け部４０の先端側とその対向位置にはロック孔４０ａを設けており、引掛け部４０を支持バー３１に引掛けた後、ロックボルトＦ３を貫通させて引掛け部４０の開口を閉じることで、支持バー３１から引掛け部４０が外れないように固定している。ここで用いるマンホール用の梯子４としては、本実施形態では、伸縮式のものを用いているが、これに限らず長さ固定式のものや、折り畳み式、又は連結式のものなど、適宜選択して用いればよい。また、前記梯子４は着脱可能としたほうが運搬性、設置性が良く取り扱い性に優れるが、固定取り付けにしても良い。
【００１７】
【本実施形態の作用】
上記構成により、本願発明の梯子取付具Ｓは、以下のように作用する。まず、作業対象となるマンホールの蓋体（図示省略。）を開け、支持基台１の当接板１２を開口縁枠Ｃの枠体に内側から適合させて、上部フランジＣｂの貫通孔Ｃｄと上帯板１０の締結孔１０ａをボルトナット手段Ｆ１により共締めする。同様に、下帯板１１は、開口縁枠Ｃの下部フランジＣｃに締め付けボルトＦ２の先端側を押し付けて固定する。
次に、支持基台１の上帯板１０に設けた差込筒２２内に手摺り枠２の先端側を差し込んで立設してから、固定ねじ２２ａを締めて手摺り枠２を差込筒２２に固定する。
【００１８】
さらに、マンホール用の伸縮式の梯子４を懸垂状に伸ばし、その上部に設けた引掛け部４０を梯子支持部３の支持バー３１に引掛けて、ロック孔４０ａにロックボルトＦ３を貫通させて外れ止めとすることで、梯子４は梯子支持部３に保持されて、マンホール用梯子装置として機能する。
【００１９】
開口縁枠Ｃへの梯子取付具Ｓの取付けにより、作業者は手摺り枠２を伝って安全に梯子４へ乗り移って迅速にマンホールやタンク内部へ進入することができる。内部から出る際も同様に、マンホール用梯子４から手摺り枠２に安全に乗り継いで外部に出られる。
【００２０】
【効果】
本願発明のマンホール用の梯子取付具及びこれを用いたマンホール用梯子装置によれば、運搬、設置、撤収、等の取り扱い性に優れ、かつマンホールへの出入りが安全かつ迅速となり、作業者にとっても作業効率が良くなるという優れた効果を発揮するものである。
【図面の簡単な説明】
【図１】本実施形態におけるマンホール用の梯子取付具の外観斜視図である。
【図２】図１のＡ矢視図である。
【図３】図２のＢＢ線矢視図である。
【符号の説明】
Ｓ  梯子取付具
１  支持基台
１０  上帯板
１０ａ  締結孔
１１  下帯板
１１ａ  ボルト孔
１２  当接板
２  手摺り枠
２０  枠部材
２１  横バー
２２  差込筒
２２ａ  固定ねじ
３  梯子支持部
３０  垂下板
３１  支持バー
４  梯子
４０  引掛け部
４０ａ  ロック孔
Ｃ  開口縁枠
Ｃａ  枠体
Ｃｂ  上部フランジ
Ｃｃ  下部フランジ
Ｃｄ  貫通孔
Ｆ１  ボルトナット手段
Ｆ２  締め付けボルト
Ｆ３  ロックボルト
【図１】
2005002696.tif 000003
【図２】
2005002696.tif 000004
【図３】
2005002696.tif 000005